(57)【要約】      （修正有）【課題】垂直目地に浸入した水を積極的に外部に排出することによって、壁内面のシミの発生を防止できるコンクリート建造物の外壁目地部排水構造を提供する。【解決手段】主部１２ａの芯材保持溝により芯材１１を保持し、芯材保持溝の背面側に目地棒収容壁１２ｄを突設させることにより目地棒収容溝１４が形成されており、前記芯材保持溝と目地棒収容溝１４との間部分にその長手方向に貫通する水路１５が形成されているとともに、前記目地棒収容溝１４と前記水路１５とを連通させる複数の通水孔１６が穿設されている芯材保持材１２の下端に透水性部材２１を配設し、該透水性部材２１を介して前記水路１５から落下する雨水を排出部へ排出させるようにする。【選択図】図１
0003150273.tif 000002
【実用新案登録請求の範囲】
【請求項１】
主部の芯材保持溝により芯材を保持し、前記芯材保持溝の背面側に目地棒収容壁部を突設させることにより目地棒収容溝が形成されており、前記芯材保持溝と目地棒収容溝との間部分にその長手方向に貫通する水路が形成されているとともに、前記目地棒収容溝と前記水路とを連通させる複数の通水孔が穿設されている芯材保持材の下端に、透水性部材を配設し、前記水路から落下する雨水を前記透水性部材を介して排出部へ排出させるようにしたことを特徴とする、コンクリート建造物の外壁目地部排水構造。
【請求項２】
前記通水孔が、前記目地棒収容溝から前記水路へ、斜め下方に向けて形成されていることを特徴とする、請求項１に記載のコンクリート建造物の外壁目地部排水構造。
【請求項３】
前記通水孔の開口が、前記目地棒収容溝底面の側縁部に形成されていることを特徴とする、請求項１又は２に記載のコンクリート建造物の外壁目地部排水構造。
【請求項４】
主部の芯材保持溝により芯材を保持し、前記芯材保持溝の背面側に目地棒収容壁部を突設させることにより目地棒収容溝が形成されている芯材保持材の下端に、透水性部材を配設し、前記目地棒収容溝から落下する雨水を前記透水性部材を介して排出部へ排出させるようにしたことを特徴とする、コンクリート建造物の外壁目地部排水構造。
【請求項５】
前記透水性部材は、多孔質合成樹脂発泡体によって形成され、少なくともその底面及び屋内側面に止水処理を施してなることを特徴とする、請求項１〜４のいずれかに記載のコンクリート建造物の外壁目地部排水構造。
【請求項６】
前記止水処理は、前記透水性部材に止水テープを貼設することよって施されていることを特徴とする、請求項５に記載のコンクリート建造物の外壁目地部排水構造。
【請求項７】
前記透水性部材に排水パイプの一端を挿入し、他端を外壁外へ突出させたことを特徴とする、請求項１〜６のいずれかに記載のコンクリート建造物の外壁目地部排水構造。
【請求項８】
前記透水性部材は、水平スリットの打ち継ぎ目地部材を構成することを特徴とする、請
求項１〜７のいずれかに記載のコンクリート建造物の外壁目地部排水構造。
【請求項９】
芯材保持溝が設けられた主部と、前記芯材保持溝の背面側に目地棒収容壁部を突設させることにより形成された目地棒収容溝とを備えた垂直スリット用芯材保持材において、前記芯材保持溝と目地棒収容溝との間部分にその長手方向に貫通する水路が形成されているとともに、前記目地棒収容溝と前記水路とを連通させる複数の通水孔が穿設されていることを特徴とする、垂直スリット用芯材保持材。
【考案の詳細な説明】
【技術分野】
【０００１】
本考案は、コンクリート建造物の外壁目地部排水構造に関するもので、詳しくは、柱と外壁との間に垂直スリット体を介在させることによって形成される目地部の排水構造に関するものである。
【背景技術】
【０００２】
地震の際に、コンクリート建造物の柱がせん断破壊されないように、柱と壁との間、及び梁と壁との間に、縁切り部材（垂直スリット体及び水平スリット体）を介在させて、柱と壁との縁及び梁と壁との縁を切るようにした耐震スリット構造が採用されている（例えば、特許文献１，２参照）。
【０００３】
このような耐震スリット構造では、壁を型枠成形する際に、垂直スリット体及び水平スリット体の端部を型枠の目地棒によって支持させるため、成形されたコンクリート壁の外面には垂直目地及び水平目地が形成される。そして、この目地にはシール材が充填されて、目地から室内への雨水の浸入が防止される。
【先行技術文献】
【特許文献】
【０００４】
【特許文献１】特許２００１−３４９２号公報（図１及び図２参照）
【特許文献２】特開２００２−７０２１０号公報（図１乃至図６参照）
【考案の概要】
【考案が解決しようとする課題】
【０００５】
ところで、特に、垂直目地のシール材が劣化等によって一部が損傷されると、そこから雨水が浸入し、垂直スリット体の端面に沿って下方に導かれ、垂直スリット体の下端に配設される水平スリット体まで達して、そこに雨水が溜まる場合がある。その場合、その雨水は、梁と水平スリット体との隙間等をへて室内に滲みだし、壁内面にシミをつくってしまう虞がある。
【０００６】
本考案は、上記実情に鑑みて成されたものであって、垂直目地に浸入した雨水を積極的に外部に排出することによって、壁内面のシミの発生を防止したコンクリート建造物の外壁目地部排水構造を提供することを目的とする。
【課題を解決するための手段】
【０００７】
上記した目的を達成するため、請求項１のコンクリート建造物の外壁目地部排水構造は、主部の芯材保持溝により芯材を保持し、前記芯材保持溝の背面側に目地棒収容壁部を突設させることにより目地棒収容溝が形成されており、前記芯材保持溝と目地棒収容溝との間部分にその長手方向に貫通する水路が形成されているとともに、前記目地棒収容溝と前記水路とを連通させる複数の通水孔が穿設されている芯材保持材の下端に、透水性部材を配設し、前記水路から落下する雨水を前記透水性部材を介して排出部へ排出させるようにしたことを特徴とする。
【０００８】
ここで、上記請求項１記載の考案において、上記透水性部材としては、多孔質合成樹脂発泡体，ポーラスコンクリート，多孔質金属体等が挙げられる。
【０００９】
また、請求項２のコンクリート建造物の外壁目地部排水構造は、上記請求項１に記載の考案において、上記通水孔が、上記目地棒収容溝から前記水路へ、斜め下方に向けて形成されていることを特徴とする。
【００１０】
また、請求項３のコンクリート建造物の外壁目地部排水構造は、上記請求項１又は２に記載の考案において、上記通水孔の開口が、上記目地棒収容溝底面の側縁部に形成されていることを特徴とする。
【００１１】
また、上記した目的を達成するため、請求項４のコンクリート建造物の外壁目地部排水構造は、主部の芯材保持溝により芯材を保持し、前記芯材保持溝の背面側に目地棒収容壁部を突設させることにより目地棒収容溝が形成されている芯材保持材の下端に、透水性部材を配設し、前記目地棒収容溝から落下する雨水を前記透水性部材を介して排出部へ排出させるようにしたことを特徴とする。
【００１２】
また、請求項５のコンクリート建造物の外壁目地部排水構造は、上記請求項１〜４のいずれかに記載の考案において、上記透水性部材が、多孔質合成樹脂発泡体によって形成され、少なくともその底面及び屋内側面に止水処理を施してなることを特徴とする。
ここで、上記透水性部材の止水処理は、表面を、熱、薬品等によって溶融したり、防水性塗料を塗布したり、止水テープ等を貼着したりして行うことができる。
【００１３】
また、請求項６のコンクリート建造物の外壁目地部排水構造は、上記請求項５に記載の考案において、上記止水処理が、上記透水性部材に止水テープを貼設することよって施されていることを特徴とする。
【００１４】
また、請求項７のコンクリート建造物の外壁目地部排水構造は、上記請求項１〜６のいずれかに記載の考案において、上記透水性部材に排水パイプの一端を挿入し、他端を外壁外へ突出させたことを特徴とする。
【００１５】
また、請求項８のコンクリート建造物の外壁目地部排水構造は、上記請求項１〜７のいずれかに記載の考案において、上記透水性部材が、水平スリットの打ち継ぎ目地部材を構成することを特徴とする。
【００１６】
また、請求項９の垂直スリット用芯材保持材は、芯材保持溝が設けられた主部と、前記芯材保持溝の背面側に目地棒収容壁部を突設させることにより形成された目地棒収容溝とを備えた垂直スリット用芯材保持材において、前記芯材保持溝と目地棒収容溝との間部分にその長手方向に貫通する水路が形成されているとともに、前記目地棒収容溝と前記水路とを連通させる複数の通水孔が穿設されていることを特徴とする。
【考案の効果】
【００１７】
上記した請求項１の本考案によれば、劣化した目地のシール材をへて浸入した雨水は、垂直スリット体の芯材保持材の水路に通水孔を介して導かれ、その水は、芯材保持材の水路の下端に配設された透水性部材を介して排出部に積極的に排出されるので、屋内への雨水の浸入を効果的に防止することができる。
【００１８】
また、上記した請求項２の本考案によれば、通水孔が斜め下方に形成されているので、雨水を水路へより確実に導くことができる。
【００１９】
また、上記した請求項３の本考案によれば、通水孔の開口が目地の側縁部に形成されているので、劣化したシール材によって邪魔されることなく、浸入した雨水を水路へより確実に導くことができる。
【００２０】
また、請求項４の本考案によれば、劣化した目地のシール材をへて浸入した雨水は、垂直スリット体の芯材保持材の目地棒収容溝に沿って落下するが、その水は、芯材保持材の下端に配設された透水性部材を介して排出部に積極的に排出されるので、屋内への雨水の浸入を効果的に防止することができる。
【００２１】
また、上記した請求項５の本考案によれば、透水性部材が多孔質合成樹脂発泡体によって形成されているので、地震の際に柱と梁の層間変形が起きても、クッション性があるため垂直スリットと水平スリットに隙間が発生しにくいという特徴を有する。
【００２２】
また、上記した請求項６の本考案によれば、透水性部材の止水処理を止水テープによって行っているので、止水を安価にかつ容易に行うことができる。さらに、水の浸入による外壁躯体の劣化、屋内への浸入を防止できる。
【００２３】
また、上記した請求項７の本考案によれば、排水パイプによって透水性部材の水を外部に排出するので、雨水の排水を迅速に行うことができる。
【００２４】
また、上記した請求項８の本考案によれば、透水性部材が水平スリットの打ち継ぎ目地部材として構成されているので、設置作業が容易であるとともに、雨水の屋内への浸入をより効果的に防止することができる。
【００２５】
また、上記した請求項９の本考案によれば、雨水の屋内への浸入を効果的に防止することができるコンクリート建造物の外壁目地部排水構造を構築することができる。
【図面の簡単な説明】
【００２６】
【図１】本考案に係る垂直スリット体及び水平スリット体を組み付けた状態を示した斜視図である。
【図２】図１における垂直スリット体及び水平スリット体の分解斜視図である。
【図３】垂直スリット体の芯材保持材を示した斜視図である。
【図４】図３に示した芯材保持材のＸ矢視図である。
【図５】図３に示した芯材保持材のＹ矢視図である。
【図６】図５におけるＶＩ−ＶＩ線に沿う部分の断面図である。
【図７】本考案に係るコンクリート建造物の外壁構築方法を説明するための側面図である。
【図８】本考案に係るコンクリート建造物の外壁構築方法を説明するための平面図である。
【図９】本考案に係るコンクリート建造物の外壁目地部排水構造を示した断面平面図である。
【図１０】本考案に係るコンクリート建造物の外壁目地部排水構造を示した断面側面図である。
【考案を実施するための形態】
【００２７】
以下に、本考案に係るコンクリート建造物の外壁目地部排水構造の実施の形態を、図面を参照しながら詳細に説明する。
【００２８】
図示したコンクリート建造物は、柱と外壁との間及び梁と外壁との間の耐震スリット構造を示しており、該耐震スリット構造は、垂直スリット体１０と水平スリット体２０とによって構成されている。
【００２９】
このコンクリート建造物で使用されている垂直スリット体１０は、図１に示すように、芯材１１の両側端部が、芯材保持材１２，１２によって保持されている。
【００３０】
上記芯材１１の材質としては、特に制限されないが、通常、発泡体が使用され、具体的には、ポリエチレン樹脂、ポリプロピレン樹脂、ポリスチレン樹脂等からなる合成樹脂の発泡体、或いは炭酸カルシウムを主成分とする無機系の不燃性発泡体等が用いられる。
【００３１】
また、上記芯材保持材１２についても、特に制限されないが、例えば、塩化ビニル等の押し出し成形品が挙げられる。塩化ビニルは軟質塩化ビニル、硬質塩化ビニルのいずれであってもよいが、硬質塩化ビニルが、芯材１１の係合等を強固に行え、打設コンクリートの圧力に抗することができる点で好適である。
【００３２】
上記芯材保持材１２は、図３乃至図６に詳示したように、主部１２ａの左右両側端部に芯材保持壁部１２ｂ，１２ｂを備えている。それらの芯材保持壁部１２ｂ，１２ｂは互いに平行に立設され、それらの芯材保持壁部１２ｂ，１２ｂと主部１２ａの片面とによって芯材保持溝１３が形成されている。芯材保持壁部１２ｂ，１２ｂの内面には、長手方向に延びる突条１２ｃが複数本形成されている。この芯材保持溝１３には、芯材１１の端部が圧入され、突条１２ｃによって係止される。
【００３３】
また、上記主部１２ａの背面左右両側端部にも、目地棒収容壁部１２ｄ，１２ｄが突設されている。それらの目地棒収容壁部１２ｄ，１２ｄと主部１２ａの背面とによって目地棒収容溝１４が形成されている。目地棒収容壁部１２ｄ，１２ｄの内面は開口に向かって拡がっている。
【００３４】
また、上記両芯材保持壁部１２ｂ，１２ｂのそれぞれの外側面には、一方の片が芯材保持壁部１２ｂに対して垂直に立設され、他方の片が芯材保持壁部１２ｂに対して平行、かつ、目地棒収容溝に向けて、水平断面形状がＬ字状を成す水返しリブ１２ｅ，１２ｅがそれぞれ長手方向に沿って形成されている。
【００３５】
また、芯材保持材１２の主部１２ａの、芯材保持溝１３と目地棒収容溝１４との間部分には、長手方向に貫通する矩形状の２本の水路１５が貫設されている。そして、目地棒収容溝１４から水路１５に向けて、目地棒収容溝１４の底面の側縁部に開口し、斜め下方に向かって穿設された通水孔１６が、長手方向の全長に亘って複数配設されている。
【００３６】
一方、上記水平スリットは、図１及び図２に示すように、透水性を有する段差形打ち継ぎ目地部材２１と、該段差形打ち継ぎ目地部材２１の屋内側上面に重ね合わせて設置される水平スリット体２０とによって構成されている。
【００３７】
上記段差形打ち継ぎ目地部材２１は、透水性を有する部材、例えば、多孔質合成樹脂発泡体，ポーラスコンクリート，多孔質金属体等によって形成できるが、中でも多孔質合成樹脂発泡体で形成することが、地震の際に柱と梁の層間変形が起きても、クッション性があるため垂直スリットと水平スリットに隙間が発生しにくいことから好ましい。
【００３８】
上記段差形打ち継ぎ目地部材２１を形成する多孔質合成樹脂発泡体は、例えば、複数の熱可塑性樹脂発泡体片を結合することにより製造される。熱可塑性樹脂発泡体片（以下、単に『発泡体片』ともいう。）を構成する熱可塑性樹脂としては、発泡が容易で、軽量性、圧縮強さに優れるものが得られる点でポリスチレン系樹脂、ポリプロピレン系樹脂、ポリエチレン系樹脂等が好ましい。なかでも地震時における柱と梁の層間変形による垂直スリットと水平スリットの隙間が発生しにくい点と、壁体の蓄熱による熱変形が少ない点からポリプロピレン系樹脂が好ましい。また、発泡体片の形状としては、筒型粒子状或いはチップ形状が好ましい。発泡体片の大きさは、発泡体片形状がチップ形状の場合、最長部分の平均長さにおいて５〜５０ｍｍが好ましく、１０〜３５ｍｍがより好ましい。また、発泡体片形状が筒型粒子状の場合、発泡体片の大きさは、チップ状のものと同様の理由により最長部分の平均長さにおいて２〜２０ｍｍが好ましく、３〜１０ｍｍがより好ましい。
【００３９】
上記発泡体片の製造法に制限はなく、樹脂の種類に応じて公知の方法を適宜選択することができる。また、多孔質合成樹脂発泡体は、上記発泡体片を、空隙を有するように結合することによって成形される。空隙を有するように結合する方法に制限はなく、例えば、発泡体片を金型のキャビティ内に充填し、次いで、型締めを行なった後に加圧蒸気を上記キャビティ内に導入し、発泡体片個々の表面を溶融させて該発泡体片同士を互いに融着させることにより、空隙を有する多孔質合成樹脂発泡体を製造することができる。
【００４０】
上記段差形打ち継ぎ目地部材２１を形成する多孔質合成樹脂発泡体は、透水係数０．１ｃｍ／ｓｅｃ以上であることが好ましく、０．２〜５ｃｍ／ｓｅｃであることがより好ましい。また、圧縮強さは３０〜３００ｋＰａであることが好ましく、４０〜２００ｋＰａであることがより好ましい。
なお、上記透水係数は、ＪＩＳ  Ａ  １２１８（１９９３）に準じて、試料としての砂を多孔質合成樹脂発泡体に代え、変水位式透水性測定試験により測定される値である。また、上記圧縮強さは、ＪＩＳ  Ｋ  ７２２０（１９９９）に準拠して求められる変形５％時の圧縮強さとして測定される値である。
【００４１】
上記段差形打ち継ぎ目地部材２１の屋内側上面には、図２に示すように、Ｌアングル材によって形成された水返し２３の一方の片が載置されている。そして、水返し２３の一方の片の上面から段差形打ち継ぎ目地部材２１の屋内側面２１ａ，下面２１ｂ，屋外側面下部２１ｃを覆うようにして止水テープ、例えば、ブチルテープ２４が貼設されている。また、この打ち継ぎ目地部材２１には、予め、前面に段差形目地棒２５が無頭釘２６によって連設されている。
【００４２】
上記段差形打ち継ぎ目地部材２１の屋内側上面に設置される水平スリット体２０の芯材２２は、通常、発泡体が使用され、具体的には、ポリエチレン樹脂、ポリプロピレン樹脂、ポリスチレン樹脂等からなる合成樹脂の発泡体が用いられる。図示した実施の形態では、ロックウール２２ａを挟むようにしてポリエチレン樹脂の発泡体２２ｂ，２２ｂを接合させたものである。なお、芯材２２は、当然、発泡体のみによって形成してもよい。
【００４３】
上記した垂直スリット体１０、及び水平スリット体２０とによって耐震スリット構造を構築するにあたっては、上記段差形打ち継ぎ目地部材２１を、図７及び図８に示すように、段差形目地棒２５を介し、無頭釘２６によって型枠３に固定する。そして型枠３を、前打設された階下の梁を構成するコンクリートＡの屋外側上端部から上方に延設させるとともに、柱を構成するコンクリートＢの打設される位置の屋外側端部に沿わせる。また、芯材２２の屋外側を前記段差形打ち継ぎ目地部材２１の水返し２３に当接載置するように前打設した階下の梁を構成するコンクリートＡの上面に載置する。
【００４４】
次いで、段差形打ち継ぎ目地部材２１の上面に、一方の芯材保持材１２を載置し、その芯材保持材１２の目地棒収容溝１４を型枠３の目地棒３ａに嵌合させるとともに、芯材１１及び他方の芯材保持材１２を水平スリット体２０の芯材２２の上面に載置する。また、水平スリット体２０の屋内側端部に載置させた型枠４を、前打設した階下の梁を構成するコンクリートＡの上面に設置するとともに、柱を構成するコンクリートＢ、壁を構成するコンクリートＣの打設される位置の側端に当接するように設置する。
【００４５】
次いで、型枠３，４内に柱を構築するコンクリートＢを打設した後、壁を構築するコンクリートＣを打設する。そして、コンクリートＣが固化した後に、型枠３，４を解体する。その際に、芯材保持材１２の目地棒収容溝１４に嵌合していた型枠３の目地棒３ａは引き抜かれ、また、無頭釘２６は、型枠３と共に段差形打ち継ぎ部材２１から引き抜かれる。
【００４６】
次いで、段差形目地棒２５を取り外し、段差形打ち継ぎ目地部材２１に達するまで排水パイプ２７を挿嵌させるとともに、段差形目地棒２５を取り外したことによる空間（目地）、及び目地棒３ａが引き抜かれたことによる芯材保持材１２の目地棒収容溝１４の空間（目地）に、バックアップ材２８を挿嵌させて、シール材２９を充填する。バックアップ材２８としては、例えば、塩化ビニル樹脂発泡体、ポリウレタン樹脂発泡体、フェノール樹脂発泡体等を使用することができ、さらには、該樹脂に無機物質を混合して発泡させた、無機質系発泡体を好適に用いることができる。また、シール材２９としては、湿気硬化型のシリコーン系、変成シリコーン系、ポリサルファイド系、ポリウレタン系、酸素硬化型の変成ポリサルファイド系、乾燥硬化型のエマルションタイプアクリル系、反応硬化型のシリコーン系、ポリイソブチレン系、変成シリコーン系、ポリサルファイド系、アクリルウレタン系、ポリウレタン系の２成分型のもの等が使用できる。
【００４７】
このようにして構築された建造物において、経時劣化等によって目地に充填したシール材２９の止水効果が無くなった場合には、図９に示すように、シール材２９から浸入した雨水等の水Ｗは、通水孔１６をへて芯材保持材１２の水路１５に浸入し、図１０に示すように、水路１５をへて段差形打ち継ぎ目地部材２１に導かれる。そして、水Ｗは、排水パイプ２７から外部に積極的に排出される。
【００４８】
したがって、このコンクリート建造物の外壁目地部排水構造では、シール材２９から浸入した雨水Ｗは、段差形打ち継ぎ目地部材２１に導かれ、その水は、排水パイプ２７によって外部に速やかに排出されるので、外壁Ｃの屋内側に水が滲みだす虞はない。
【００４９】
以上、本考案に係るコンクリート建造物の外壁目地部排水構造の好適な実施の形態を説明したが、本考案は、何ら既述の実施の形態に限定されるものではなく、実用新案登録請求の範囲に記載した本考案の技術的思想の範囲内において、種々の変形及び変更が可能であることは当然である。
【００５０】
例えば、上記実施の形態では、水平スリットを、段差形打ち継ぎ目地部材２１と、該段差形打ち継ぎ目地部材２１の屋内側上面に重ね合わせて設置される水平スリット体２０とによって構成したものを示しているが、本考案は、打ち継ぎ目地部材と水平スリット体とを同じ高さに連設して構成された水平スリットにも適用することができる。
【００５１】
また、上記実施の形態では、水平スリットの段差形打ち継ぎ目地部材２１の全体を透水性部材としているが、段差形打ち継ぎ目地部材２１の一部に透水性部材を介在配設してもよい。但し、この場合は、透水性部材が垂直スリット体１０に対応した部位に位置させる必要があることは勿論である。
【００５２】
さらに、上記実施の形態では、芯材保持材１２に水路１５を形成するとともに、複数の通水孔１６を形成しているが、透水性部材である段差形打ち継ぎ目地部材２１を芯材保持材１２の目地棒収容溝１４の下端に配設できるようであれば、目地棒収容溝１４を水路として利用できるので、水路１５及び通水孔１６の形成を省略することもできる。
【００５３】
さらにまた、上記実施の形態では、段差形打ち継ぎ目地部材２１に排水パイプ２７を設置し、該排水パイプ２７から外部に積極的に雨水Ｗを排出させているが、段差形打ち継ぎ目地部材２１或いは壁内部に排水管等の排出部を形成し、該排出部に雨水Ｗを排出させる構成としてもよい。
【符号の説明】
【００５４】
３      型枠
３ａ    目地棒
４      型枠
４ａ    目地棒
１０    垂直スリット体
１１    芯材
１２    芯材保持材
１２ａ  主部
１２ｂ  芯材保持壁部
１２ｃ  突条
１２ｄ  目地棒収容壁部
１２ｅ  水返しリブ
１３    芯材保持溝
１４    目地棒収容溝
１５    水路
１６    通水孔
２０    水平スリット体
２１    段差形打ち継ぎ目地部材（透水性部材）
２１ａ  屋内側面
２１ｂ  下面
２１ｃ  屋外側下部
２２    芯材
２２ａ  ロックウール
２２ｂ  発泡体
２３    水返し
２４    ブチルテープ
２５    段差形目地棒
２６    無頭釘
２７    排水パイプ
２８    バックアップ材
２９    シール材
Ａ，Ｂ，Ｃ  コンクリート
Ｗ      水
【図１】
0003150273.tif 000003
【図２】
0003150273.tif 000004
【図３】
0003150273.tif 000005
【図４】
0003150273.tif 000006
【図５】
0003150273.tif 000007
【図６】
0003150273.tif 000008
【図７】
0003150273.tif 000009
【図８】
0003150273.tif 000010
【図９】
0003150273.tif 000011
【図１０】
0003150273.tif 000012